(57)【特許請求の範囲】
【請求項１】
襖の周面を乾燥する乾燥装置において、長方形の襖枠を載置するための支持手段と、この支持手段上に載置された襖枠の少なくとも対向する２辺の周面全長に接して上記襖枠を挟持することができる２本の平行な押さえ部材を開閉自在に設け、この押さえ部材には襖枠の周面を加熱する発熱手段と、該発熱手段で発生した熱を襖枠の周面に伝熱する柔軟に撓る伝熱部材を具備し、襖枠の周面に釘が取り付いた状態でも襖枠の周面の襖紙を上記釘の周囲まで押さえ付けて乾燥することを特徴とする襖の乾燥装置。
【請求項２】
伝熱部材は、断面角形の厚目のクッション材と、該クッション材を芯にして外側を包むアルミニウム合金製の伝熱板と、該伝熱板の外側を包む柔軟に撓る金属細線で編んだ筒状の網の伝熱体とよりなることを特徴とする請求項１の襖の乾燥装置。
【発明の詳細な説明】
【０００１】
【産業上の利用分野】
本発明は、襖を製造する工程中において、襖枠に襖紙を貼付した際に襖枠外周のかまち部を乾燥するために利用する乾燥装置に関し、頻度の多い襖紙の貼り替え時に有効に利用されるものである。
【０００２】
【従来の技術】
襖は、長方形の襖枠に３枚の受け紙を糊で下貼りし、次にその上に襖紙（表紙）を上貼りし、その後、襖枠の四周のかまちに上縁、立て縁、下縁をそれぞれ釘で取り付け、表裏両面に引き手を取り付けて作られる。
【０００３】
上貼りの際は、襖紙を襖枠の大きさよりも上下左右にそれぞれ約２ｃｍ程度広く裁断し、襖紙の裏面全体にうすい糊を、また四周に濃い糊を塗布して貼付け、この襖紙の四周を折曲げて襖枠の外周面に押さえ付けてから自然乾燥させていた。
【０００４】
乾燥を速めるために、糊付け、上貼りした襖枠を２本の押さえバーで挟んで押さえバーに張設した面発熱体を襖枠の対向する２辺の周面に圧接させ、この面発熱体に通電することにより発熱させて、襖枠の２辺の周面を短時間で乾燥する装置が提案されている。
【０００５】
【発明が解決しようとする課題】
一般に襖の新調時には、襖枠の両面に襖紙を上貼りして糊を乾燥させた後に、襖枠の四周の框に上縁、立て縁、下縁を釘で取り付けている。特に、立て縁を取り付けるために上貼りした襖枠の立て縁には立て縁と接する取り付け面に複数本（例えば７本）のスクリュウ釘を打ち込み、立て枠のスクリュウ釘と対応する部分には、溝穴と溝穴の中央に釘の頭より充分大きい丸穴が削設されている。立て縁を襖枠に取り付けるためには、立て枠のスクリュウ釘の頭に立て縁の溝穴の中央の丸穴部を冠せたのち、立て縁の端を立て方向に軽くたたき摺動させてスクリュウ釘の頭を溝穴の側面に食い込ませることにより、取り付けられる（図４参照）。
【０００６】
一方、襖紙の貼り替え時には、新調の際に襖枠に打ち込んだスクリュウ釘を残した状態で表紙を剥がし、新しい表紙を貼り付け、乾燥する工程を経て貼り替え作業が行われる。いわゆる襖貼りは、新調より貼り替えの方がはるかに多いのであるが、この貼り替え時における上貼り後の襖枠の周面の乾燥に従来使用されていた乾燥装置（実公平５−３１５１５号公報）を使用しても、面発熱体が釘の頭によって隔てられて襖枠の周面から離れるために、襖枠の周面全長にわたって一様に圧接できず、短時間に乾燥することは困難であった。
【０００７】
本発明は、襖紙の貼り替えの際に、すでにスクリュウ釘が打ち付けられている襖枠の周面に糊付けされた襖紙を、発熱体により発せられる熱を有効に伝導して、乾燥させることが可能な襖の乾燥装置を提供するものである。
【０００８】
【課題を解決するための手段】
本発明は、襖の周面を乾燥する乾燥装置において、長方形の襖枠を載置するための支持手段と、この支持手段上に載置された襖枠の少なくとも対向する２辺の周面全長に接して上記襖枠を挟持することができる２本の平行な押さえ部材を開閉自在に設け、この押さえ部材には襖枠の周面を加熱する発熱手段と、該発熱手段で発生した熱を襖枠の周面に伝熱する柔軟に撓る伝熱部材を具備し、襖枠の周面に釘が取り付いた状態でも襖枠の周面の襖紙を上記釘の周囲まで押さえ付けて乾燥するものである。
【０００９】
すなわち、襖枠の周面に釘が取り付いた状態でも、襖紙を押さえることができて、さらに熱により乾燥を速くさせるというものである。釘のまわりまで襖紙を押さえるために、弾性変形を行う部材等を適宜使用するのである。
【００１０】
また、襖紙の貼り替えの際には、襖枠の周面にある釘の部分では伝熱部材が中のクッション材が窪んで柔軟に追従して変形するので、釘を取り囲むようにして襖枠周面に接し、他の周面には伝熱部材が充分に平らに圧接されて襖紙の糊付け部が乾燥するのである。要するに、釘の近傍の襖紙も乾燥が可能である。
【００１１】
【発明の実施の形態】
本発明の襖の乾燥装置は、図１の正面図および図２の側面図に示すように、縦型のやや後方に傾け、留め具用穴14を設けた支持台１と、この支持台１の前面に支持台１と直交する方向に、留め具用穴14に係合する取り外し自在の留め具13により水平に配設固定された下押さえバー４及び上下方向に摺動可能な上押さえバー３とにより挟持面を形成する。
【００１２】
さらに上下の押さえバー３、４の互いに対向する面に張設された平らなシリコンゴムからなるクッション材21、25と、このクッション材21、25の表面にリボン状の面発熱体22、26とを設ける。
【００１３】
この面発熱体22、26の襖枠が接する側に、断面角形の厚目のクッション材23、27と、この厚目のクッション材23、27を芯にして外側を包むアルミニウム合金製の伝熱板29、30と、この伝熱板29、30の外側を包む柔軟に撓る金属細線で編んだ筒状の網の伝熱体24、28とよりなる伝熱部材を設ける。
【００１４】
上押さえバー３を上下に摺動するための機構は、手で操作するレバー５と、このレバー５の回転を上押さえバー３の上下動に換えるアーム６、８と、アーム６の動作をアーム８に伝達する連結バー７と、上押さえバー３の上下動用ロッド９と、ロッド受け10と、上下押さえバー３、４が襖枠Ａを挟持するとき、これを付勢する引っ張りバネ11と、バネ止め具12とにより構成される。下押さえバー４は、上下の向きは異なるが、その構造は上押さえバー３と同様のため詳細は省略する。
【００１５】
使用する際には、表裏両面に襖紙Ｓを貼った未乾燥の襖枠Ａを横向きにして下押さえバー４上に載せて支持台１側にもたれさす。すなわち、支持台１と下押さえバー４とにより襖枠Ａを支持する。そして、レバー５を回動して（図１において上方へ）、アーム６、８を回動させ、上押さえバー３を下方へ押し、上押さえバー３を支持するロッド９が、ロッド受け10内を摺動しながら下方へ移動する。上押さえバー３および下押さえバー４に設けられた伝熱部材が襖枠Ａの周面に接触して襖枠Ａを挟持し、同時に引っ張りバネ11が上押さえバー３を付勢する。
【００１６】
このように、襖枠Ａの左側面、右側面の二周面に面発熱体21、26を伝熱部材を介して密着させる。この状態で面発熱体22、26に通電して約１００゜Cに加熱し、この熱が伝熱部材の伝熱板29、30および網状の伝熱体24、28の全面に伝わり、二周面の襖紙Ｓの重ね部の糊を乾燥する。
【００１７】
乾燥が終わると、再び上押さえバー３を上方へ開く。次いで襖枠Ａの上側面、下側面の二周面の襖紙Ｓを乾燥する際には、襖枠Ａを支持台１から一旦降ろし、下押さえバー４の留め具13を支持台１に設けた留め具用穴14から外し、襖枠Ａを縦向きにして支持できるように新たな位置の留め具用穴14に移す。その後、襖枠Ａを縦向きにして下押さえバー４上に載せ、支持台１側にもたれさせて、左側面、右側面への施工と同様な施工を行って糊付けされた襖紙Ｓを乾燥する。一般に襖枠の上側面、下側面には縁取り付け用のスクリュウ釘はないが、本発明の装置は当然のことながらそのまま適用が可能である。
【００１８】
【発明の効果】
本発明は、糊で貼付した襖紙の周面部のみを強制的に乾燥するようにしたものであり、特に頻度の多い襖紙貼り替え時に、襖枠の周面に打ち込まれた釘の頭を残した状態においても、伝熱部材が柔軟に撓って釘の周囲まで襖紙を押さえることができるので、面発熱体の熱を襖枠の周面に伝熱して、夏、冬のいずれにおいても１〜２分で乾燥することができる。したがって、全体の乾燥を待たずに上縁、立て縁、下縁を取り付けることができ、待ち時間が大幅に減少する。そして、襖紙の全面を乾燥するのではなく、襖枠の周面部のみを乾燥し、周面を除く大部分は上下左右の縁を取り付けたあとに自然乾燥されるので、襖枠の骨がゆがんだり、框が外れたりすることがなく、また襖紙に皺が発生することはない。
【図面の簡単な説明】
【図１】本発明の襖の乾燥装置の実施の形態を示す正面図、
【図２】本発明の襖の乾燥装置の実施の形態を示側面図、
【図３】本発明の実施の形態における乾燥手段を示す詳細図、
【図４】襖枠と縁とを釘により取り付ける状態を示す要領図である。
【符号の説明】
Ａ  襖枠
Ｂ  スクリュウ釘
Ｃ  縁
Ｄ  溝穴
Ｅ  丸穴
Ｓ  襖紙
１  支持台
２  横支持バー
３  上押さえバー
４  下押さえバー
５  レバー
６  アーム
７  連結バー
８  アーム
９  ロッド
10  ロッド受け
11  引っ張りバネ
12  バネ止め
13  留め具
14  留め具用穴
21  クッション材
22  面発熱体
23  クッション材
24  伝熱体
25  クッション材
26  面発熱体
27  クッション材
28  伝熱体
29  伝熱板
30  伝熱板
【図１】
0003549481.tif 000002
【図２】
0003549481.tif 000003
【図３】
0003549481.tif 000004
【図４】
0003549481.tif 000005